(57)【要約】      （修正有）【課題】薄型化と小型化を図ることができるディスク装置のチャッキング手段を提供する。【解決手段】スピンドルシャーシ３０Ａとトラバースベースとからトラバース機構を構成し、スピンドルシャーシ３０Ａのスピンドルモータ３１Ａのセンターとトラバースベースのピックアップ３２が移動した時のピックアップレンズのセンターラインとが合致するように、スピンドルシャーシ３０Ａに対してトラバースベースが、スピンドルシャーシ３０Ａの支柱３８に装着したバネにより近接離間可能にバネ付勢されつつ配置固定され、トラバース機構３０の他端側を、固定カムによってベース本体に支持し、スライダーカム機構５１によってトラバース機構３０をディスクの挿入排出方向に移動させることで、固定カム３４Ａ、３４Ｂによってトラバース機構３０の他端側をベース本体に対して近接離間させるディスク装置のチャッキング方法。【選択図】        図１
2006065925.tif 000002
【特許請求の範囲】
【請求項１】
ベース本体と蓋体とからシャーシ外装を構成し、
前記シャーシ外装のフロント面には、ディスクを直接挿入するディスク挿入口を形成し、前記ベース本体に設けたトラバース機構を、スピンドルシャーシとトラバースベースとから構成し、前記スピンドルシャーシには、スピンドルモータとトラバースベースを支持する複数の支柱を保持し、前記トラバースベースには、ピックアップとピックアップを移動させる駆動手段とを保持し、前記トラバースベースは、前記スピンドルシャーシの支柱と嵌合し、前記スピンドルシャーシのスピンドルモータのセンターと前記トラバースベースのピックアップが移動した時のピックアップレンズのセンターラインとが合致するように、前記スピンドルシャーシに対して前記トラバースベースが、前記スピンドルシャーシの支柱に装着したバネにより近接離間可能にバネ付勢されつつ、配置固定され、
前記トラバース機構の一端側にスライダー機構を配置し、
前記スライダー機構には、前記トラバース機構の一端側を前記ベース本体に対して近接離間させるカム機構と、前記トラバース機構を前記ディスクの挿入排出方向に移動させるスライダーカム機構とを有し、
前記トラバース機構の他端側に固定カムを配置し、前記トラバース機構の他端側を前記固定カムによって前記ベース本体に支持し、
前記スライダーカム機構によって前記トラバース機構を移動させることで、前記固定カムによって前記トラバース機構の他端側を前記ベース本体に対して近接離間させ、
前記トラバース機構が前記ベース本体に対して近接する方向に移動する時には、前記トラバースベースが前記ベース本体と当接するまでは、前記スピンドルシャーシの支柱に装着したバネのバネ付勢により、前記スピンドルシャーシと前記トラバースベースが一体となって近接する方向に移動し、
前記トラバースベースが前記ベース本体と当接すると、前記スピンドルシャーシのみが前記ベース本体に対して近接する方向に移動し、
前記トラバース機構が前記ベース本体に対して離間する方向に移動する時には、前記トラバースベースが前記ベース本体と当接している間は、前記スピンドルシャーシのみが前記ベース本体に対して離間する方向に移動し、さらに離間する方向に移動する際には、前記スピンドルシャーシと前記トラバースベースが一体となって離間する方向に移動するディスク装置のチャッキング方法であって、
前記トラバース機構を固定カムの方向に移動させることで前記スピンドルシャーシの他端側のみを前記ベース本体から離間させる方向に移動させる第１のステップと、
第１のステップの後に、前記トラバース機構の一端側を前記トラバースベースが前記ベース本体と離間するまでは、前記スピンドルシャーシのみが前記ベース本体から離間する方向に移動し、さらに離間する方向に移動する際には、前記スピンドルシャーシと前記トラバースベースが一体となって前記ベース本体から離間する方向に移動することで前記ディスクをスピンドルモータのハブに嵌合させる第２のステップと、
第２のステップの後に、前記トラバース機構の一端側を前記ベース本体に近接させる方向に移動させる第３のステップとを有することを特徴とするディスク装置のチャッキング方法。
【請求項２】
第２のステップの後に、前記トラバース機構を固定カムの方向に移動させることで、前記ディスクを位置規制部材から離間させることを特徴とする請求項１に記載のディスク装置のチャッキング方法。
【請求項３】
スピンドルシャーシとトラバースベースとからトラバース機構を構成し、前記スピンドルシャーシには、スピンドルモータとトラバースベースを支持する複数の支柱を保持し、前記トラバースベースには、ピックアップとピックアップを移動させる駆動手段とを保持し、前記トラバースベースは、前記スピンドルシャーシの支柱と嵌合し、前記スピンドルシャーシのスピンドルモータのセンターと前記トラバースベースのピックアップが移動した時のピックアップレンズのセンターラインとが合致するように、前記スピンドルシャーシに対して前記トラバースベースが、前記スピンドルシャーシの支柱に装着したバネにより近接離間可能にバネ付勢されつつ、配置固定され、
前記トラバース機構の一端側又は他端側をベース本体に対して垂直方向に移動させるとともに前記トラバース機構を前記ベース本体に対して水平方向に移動させ、
前記トラバース機構が前記ベース本体に対して近接する方向に移動する時には、前記トラバースベースが前記ベース本体と当接するまでは、前記スピンドルシャーシの支柱に装着したバネのバネ付勢により、前記スピンドルシャーシと前記トラバースベースが一体となって近接する方向に移動し、
前記トラバースベースが前記ベース本体と当接すると、前記スピンドルシャーシのみが前記ベース本体に対して近接する方向に移動し、
前記トラバース機構が前記ベース本体に対して離間する方向に移動する時には、前記トラバースベースが前記ベース本体と当接している間は、前記スピンドルシャーシのみが前記ベース本体に対して離間する方向に移動し、さらに離間する方向に移動する際には、前記スピンドルシャーシと前記トラバースベースが一体となって離間する方向に移動するカム機構を備えたディスク装置のチャッキング方法であって、
前記トラバース機構を水平方向に移動させることで前記スピンドルシャーシの他端側のみを前記ベース本体から離間させる方向に移動させる第１のステップと、
第１のステップの後に、前記トラバース機構の一端側を前記トラバースベースが前記ベース本体と離間するまでは、前記スピンドルシャーシのみが前記ベース本体から離間する方向に移動し、さらに離間する方向に移動する際には、前記スピンドルシャーシと前記トラバースベースが一体となって前記ベース本体から離間する方向に移動することで前記ディスクをスピンドルモータのハブに嵌合させる第２のステップと、
第２のステップの後に、前記トラバース機構の一端側を前記ベース本体に近接させる方向に移動させる第３のステップとを有することを特徴とするディスク装置のチャッキング方法。
【請求項４】
第２のステップの後に、前記トラバース機構を水平方向に移動させることで、前記ディスクを位置規制部材から離間させることを特徴とする請求項３に記載のディスク装置のチャッキング方法。
【請求項５】
ベース本体と蓋体とからシャーシ外装を構成し、
前記シャーシ外装のフロント面には、ディスクを直接挿入するディスク挿入口を形成し、
前記ベース本体に設けたトラバース機構を、スピンドルシャーシとトラバースベースとから構成し、前記スピンドルシャーシには、スピンドルモータとトラバースベースを支持する複数の支柱を保持し、前記トラバースベースには、ピックアップとピックアップを移動させる駆動手段とを保持し、前記トラバースベースは、前記スピンドルシャーシの支柱と嵌合し、前記スピンドルシャーシのスピンドルモータのセンターと前記トラバースベースのピックアップが移動した時のピックアップレンズのセンターラインとが合致するように、前記スピンドルシャーシに対して前記トラバースベースが、前記スピンドルシャーシの支柱に装着したバネにより近接離間可能にバネ付勢されつつ、配置固定されたディスク装置であって、
前記トラバース機構の一端側にスライダー機構を配置し、
前記スライダー機構には、前記トラバース機構の一端側を前記ベース本体に対して近接離間させるカム機構と、前記トラバース機構を前記ディスクの挿入排出方向に移動させるスライダーカム機構とを有し、
前記トラバース機構の他端側に固定カムを配置し、前記トラバース機構の他端側を前記固定カムによって前記ベース本体に支持し、
前記スライダーカム機構によって前記トラバース機構を移動させることで、前記固定カムによって前記トラバース機構の他端側を前記ベース本体に対して近接離間させ、
前記トラバース機構が前記ベース本体に対して近接する時には、前記トラバースベースが前記ベース本体と当接するまでは、前記スピンドルシャーシの支柱に装着したバネのバネ付勢により、前記スピンドルシャーシと前記トラバースベースが一体となって近接し、
前記トラバースベースが前記ベース本体と当接すると、前記スピンドルシャーシのみが前記ベース本体に対して近接し、
前記トラバース機構が前記ベース本体に対して離間する時には、前記トラバースベースが前記ベース本体と当接している間は、前記スピンドルシャーシのみが前記ベース本体に対して離間し、さらに離間する際には、前記スピンドルシャーシと前記トラバースベースが一体となって離間することを特徴とするディスク装置。
【請求項６】
前記スライダーカム機構によって前記トラバース機構を固定カムの方向に移動させることで、前記ディスクを位置規制部材から離間させることを特徴とする請求項５に記載のディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できる、いわゆるスロットイン方式のディスク装置に関する。
【背景技術】
【０００２】
従来のディスク装置は、トレイまたはターンテーブル上にディスクを載置し、このトレイやターンテーブルを装置本体内に装着するローディング方式が多く採用されている。
しかし、このようなローディング方式では、トレイやターンテーブルが必要な分、ディスク装置本体を薄型化するには限度がある。
一方、スロットイン方式のディスク装置としては、ディスク面に搬送ローラを当接させてディスクを引き込む方式が提案されている（例えば特許文献１）。
【特許文献１】特開平７−２２０３５３号公報
【発明の開示】
【発明が解決しようとする課題】
【０００３】
しかし、例えば特許文献１で提案されているようなスロットイン方式では、ディスク直径より長い搬送ローラを用いるために、装置幅を広くしなければならず、さらにこの搬送ローラによって厚みも増してしまう。
従って、このようなスロットイン方式のディスク装置では、ディスク装置本体の薄型化や小型化を図ることは困難である。
【０００４】
そこで本発明は、薄型化と小型化を図ることができるディスク装置のチャッキング方法及びディスク装置を提供することを目的とする。
特に本発明は、ディスク装置の薄型化と小型化を図る際、トラバース機構を斜めに下降させた場合に、十分に確保することが困難な、ディスク挿入時のディスク下面とトラバース機構、特にスピンドルモータのハブとのクリアランスを確保できるディスク装置のチャッキング方法及びディスク装置を提供することを目的とする。
また、本発明は、トラバース機構の一端側、他端側がベース本体に対して垂直方向に移動でき、トラバース機構の一端側、他端側の両側をベース本体から同時に水平に離間させてチャッキングを行う場合と比較して、ディスクセンターとスピンドルモータのハブセンターの芯ずれが少なく、安定したチャッキングをすることができるディスク装置のチャッキング方法及びディスク装置を提供することを目的とする。
さらに本発明は、ディスクをチャッキング後に、ディスクの位置規制部材を動作させることなくディスクを位置規制部材から離間させることで、位置規制部材を退避させるためのリンク機構を無くすことができるディスク装置のチャッキング方法及びディスク装置を提供することを目的とする。
【課題を解決するための手段】
【０００５】
請求項１記載の本発明のディスク装置のチャッキング方法は、ベース本体と蓋体とからシャーシ外装を構成し、前記シャーシ外装のフロント面には、ディスクを直接挿入するディスク挿入口を形成し、前記ベース本体に設けたトラバース機構を、スピンドルシャーシとトラバースベースとから構成し、前記スピンドルシャーシには、スピンドルモータとトラバースベースを支持する複数の支柱を保持し、前記トラバースベースには、ピックアップとピックアップを移動させる駆動手段とを保持し、前記トラバースベースは、前記スピンドルシャーシの支柱と嵌合し、前記スピンドルシャーシのスピンドルモータのセンターと前記トラバースベースのピックアップが移動した時のピックアップレンズのセンターラインとが合致するように、前記スピンドルシャーシに対して前記トラバースベースが、前記スピンドルシャーシの支柱に装着したバネにより近接離間可能にバネ付勢されつつ、配置固定され、前記トラバース機構の一端側にスライダー機構を配置し、前記スライダー機構には、前記トラバース機構の一端側を前記ベース本体に対して近接離間させるカム機構と、前記トラバース機構を前記ディスクの挿入排出方向に移動させるスライダーカム機構とを有し、前記トラバース機構の他端側に固定カムを配置し、前記トラバース機構の他端側を前記固定カムによって前記ベース本体に支持し、前記スライダーカム機構によって前記トラバース機構を前記ディスクの挿入排出方向に移動させることで、前記固定カムによって前記トラバース機構の他端側を前記ベース本体に対して近接離間させ、前記トラバース機構が前記ベース本体に対して近接する方向に移動する時には、前記トラバースベースが前記ベース本体と当接するまでは、前記スピンドルシャーシの支柱に装着したバネのバネ付勢により、前記スピンドルシャーシと前記トラバースベースが一体となって近接する方向に移動し、前記トラバースベースが前記ベース本体と当接すると、前記スピンドルシャーシのみが前記ベース本体に対して近接する方向に移動し、前記トラバース機構が前記ベース本体に対して離間する方向に移動する時には、前記トラバースベースが前記ベース本体と当接している間は、前記スピンドルシャーシのみが前記ベース本体に対して離間する方向に移動し、さらに離間する方向に移動する際には、前記スピンドルシャーシと前記トラバースベースが一体となって離間する方向に移動するディスク装置のチャッキング方法であって、前記トラバース機構を固定カムの方向に移動させることで前記スピンドルシャーシの他端側のみを前記ベース本体から離間させる方向に移動させる第１のステップと、第１のステップの後に、前記トラバース機構の一端側を前記トラバースベースが前記ベース本体と離間するまでは、前記スピンドルシャーシのみが前記ベース本体から離間する方向に移動し、さらに離間する方向に移動する際には、前記スピンドルシャーシと前記トラバースベースが一体となって前記ベース本体から離間する方向に移動することで前記ディスクをスピンドルモータのハブに嵌合させる第２のステップと、第２のステップの後に、前記トラバース機構の一端側を前記ベース本体に近接させる方向に移動させる第３のステップとを有することを特徴とする。
請求項２記載の本発明は、請求項１に記載のディスク装置のチャッキング方法において、第２のステップの後に、前記トラバース機構を固定カムの方向に移動させることで、前記ディスクを位置規制部材から離間させることを特徴とする。
請求項３記載の本発明のディスク装置のチャッキング方法は、スピンドルシャーシとトラバースベースとからトラバース機構を構成し、前記スピンドルシャーシには、スピンドルモータとトラバースベースを支持する複数の支柱を保持し、前記トラバースベースには、ピックアップとピックアップを移動させる駆動手段とを保持し、前記トラバースベースは、前記スピンドルシャーシの支柱と嵌合し、前記スピンドルシャーシのスピンドルモータのセンターと前記トラバースベースのピックアップが移動した時のピックアップレンズのセンターラインとが合致するように、前記スピンドルシャーシに対して前記トラバースベースが、前記スピンドルシャーシの支柱に装着したバネにより近接離間可能にバネ付勢されつつ、配置固定され、前記トラバース機構の一端側又は他端側をベース本体に対して垂直方向に移動させるとともに前記トラバース機構を前記ベース本体に対して水平方向に移動させ、前記トラバース機構が前記ベース本体に対して近接する方向に移動する時には、前記トラバースベースが前記ベース本体と当接するまでは、前記スピンドルシャーシの支柱に装着したバネのバネ付勢により、前記スピンドルシャーシと前記トラバースベースが一体となって近接する方向に移動し、前記トラバースベースが前記ベース本体と当接すると、前記スピンドルシャーシのみが前記ベース本体に対して近接する方向に移動し、前記トラバース機構が前記ベース本体に対して離間する方向に移動する時には、前記トラバースベースが前記ベース本体と当接している間は、前記スピンドルシャーシのみが前記ベース本体に対して離間する方向に移動し、さらに離間する方向に移動する際には、前記スピンドルシャーシと前記トラバースベースが一体となって離間する方向に移動するカム機構を備えたディスク装置のチャッキング方法であって、前記トラバース機構を水平方向に移動させることで前記スピンドルシャーシの他端側のみを前記ベース本体から離間させる方向に移動させる第１のステップと、第１のステップの後に、前記トラバース機構の一端側を前記トラバースベースが前記ベース本体と離間するまでは、前記スピンドルシャーシのみが前記ベース本体から離間する方向に移動し、さらに離間する方向に移動する際には、前記スピンドルシャーシと前記トラバースベースが一体となって前記ベース本体から離間する方向に移動することで前記ディスクをスピンドルモータのハブに嵌合させる第２のステップと、第２のステップの後に、前記トラバース機構の一端側を前記ベース本体に近接させる方向に移動させる第３のステップとを有することを特徴とする。
請求項４記載の本発明は、請求項３に記載のディスク装置のチャッキング方法において、第２のステップの後に、前記トラバース機構を水平方向に移動させることで、前記ディスクを位置規制部材から離間させることを特徴とする。
請求項５記載の本発明のディスク装置は、ベース本体と蓋体とからシャーシ外装を構成し、前記シャーシ外装のフロント面には、ディスクを直接挿入するディスク挿入口を形成し、前記ベース本体に設けたトラバース機構を、スピンドルシャーシとトラバースベースとから構成し、前記スピンドルシャーシには、スピンドルモータとトラバースベースを支持する複数の支柱を保持し、前記トラバースベースには、ピックアップとピックアップを移動させる駆動手段とを保持し、前記トラバースベースは、前記スピンドルシャーシの支柱と嵌合し、前記スピンドルシャーシのスピンドルモータのセンターと前記トラバースベースのピックアップが移動した時のピックアップレンズのセンターラインとが合致するように、前記スピンドルシャーシに対して前記トラバースベースが、前記スピンドルシャーシの支柱に装着したバネにより近接離間可能にバネ付勢されつつ、配置固定されたディスク装置であって、前記トラバース機構の一端側にスライダー機構を配置し、前記スライダー機構には、前記トラバース機構の一端側を前記ベース本体に対して近接離間させるカム機構と、前記トラバース機構を前記ディスクの挿入排出方向に移動させるスライダーカム機構とを有し、前記トラバース機構の他端側に固定カムを配置し、前記トラバース機構の他端側を前記固定カムによって前記ベース本体に支持し、前記スライダーカム機構によって前記トラバース機構を移動させることで、前記固定カムによって前記トラバース機構の他端側を前記ベース本体に対して近接離間させ、前記トラバース機構が前記ベース本体に対して近接する時には、前記トラバースベースが前記ベース本体と当接するまでは、前記スピンドルシャーシの支柱に装着したバネのバネ付勢により、前記スピンドルシャーシと前記トラバースベースが一体となって近接し、前記トラバースベースが前記ベース本体と当接すると、前記スピンドルシャーシのみが前記ベース本体に対して近接し、
前記トラバース機構が前記ベース本体に対して離間する時には、前記トラバースベースが前記ベース本体と当接している間は、前記スピンドルシャーシのみが前記ベース本体に対して離間し、さらに離間する際には、前記スピンドルシャーシと前記トラバースベースが一体となって離間することを特徴とする。
請求項６記載の本発明は、請求項５に記載のディスク装置は、前記スライダーカム機構によって前記トラバース機構を固定カムの方向に移動させることで、前記ディスクを位置規制部材から離間させることを特徴とする。
【発明の効果】
【０００６】
本発明によれば、ディスク装置の薄型化と小型化を図ることができる。
特に本発明は、ディスク挿入時のディスク下面とトラバース機構、特にスピンドルモータのハブとのクリアランスを十分に確保することができる。
また、本発明は、安定したチャッキングをすることができる。
さらに本発明は、ディスクをチャッキング後に、ディスクの位置規制部材を動作させることなくディスクを位置規制部材から離間させることで、位置規制部材を退避させるためのリンク機構を無くすことができる。
【発明を実施するための最良の形態】
【０００７】
本発明の第１の実施の形態によるディスク装置のチャッキング方法は、トラバース機構を固定カムの方向に移動させることでスピンドルシャーシの他端側のみをベース本体から離間させる方向に移動させる第１のステップと、第１のステップの後に、トラバース機構の一端側をトラバースベースがベース本体と離間するまでは、スピンドルシャーシのみがベース本体から離間する方向に移動し、さらに離間する方向に移動する際には、スピンドルシャーシとトラバースベースが一体となってベース本体から離間する方向に移動することでディスクをスピンドルモータのハブに嵌合させる第２のステップと、第２のステップの後に、トラバース機構の一端側をベース本体に近接させる方向に移動させる第３のステップとを有するものである。
本実施の形態によれば、トラバース機構の一端側、他端側がベース本体に対して垂直方向に移動できるとした場合、トラバース機構の一端側、他端側の両側をベース本体から同時に水平に離間させてチャッキングを行う場合と比較して、ディスクセンターとスピンドルモータのハブセンターの芯ずれが少なく、安定したチャッキングをすることができる。
さらに、本実施の形態によれば、トラバース機構がベース本体に対して近接する方向に移動する時には、トラバースベースがベース本体と当接するまでは、スピンドルシャーシの支柱に装着したバネのバネ付勢により、スピンドルシャーシとトラバースベースが一体となって近接する方向に移動し、トラバースベースがベース本体と当接すると、スピンドルシャーシのみがベース本体に対して近接する方向に移動することにより、ディスク挿入時のディスク下面とトラバース機構、特にスピンドルモータのハブとのクリアランスを十分に確保することができる。従って、シャーシ外装の薄型化を図ることができる。
本発明の第２の実施の形態は、第１の実施の形態によるディスク装置のチャッキング方法において、第２のステップの後に、トラバース機構を固定カムの方向に移動させることで、ディスクを位置規制部材から離間させるものである。本実施の形態によれば、ディスクをチャッキング後に、ディスクの位置規制部材を動作させることなくディスクを位置規制部材から離間させることで、位置規制部材を退避させるためのリンク機構を無くすことができる。
本発明の第３の実施の形態によるディスク装置のチャッキング方法は、トラバース機構を水平方向に移動させることでスピンドルシャーシの他端側のみをベース本体から離間させる方向に移動させる第１のステップと、第１のステップの後に、トラバース機構の一端側をトラバースベースがベース本体と離間するまでは、スピンドルシャーシのみがベース本体から離間する方向に移動し、さらに離間する方向に移動する際には、スピンドルシャーシとトラバースベースが一体となってベース本体から離間する方向に移動することでディスクをスピンドルモータのハブに嵌合させる第２のステップと、第２のステップの後に、トラバース機構の一端側をベース本体に近接させる方向に移動させる第３のステップとを有するものである。
本実施の形態によれば、トラバース機構の一端側、他端側がベース本体に対して垂直方向に移動できるとした場合、トラバース機構の一端側、他端側の両側をベース本体から同時に水平に離間させてチャッキングを行う場合と比較して、ディスクセンターとスピンドルモータのハブセンターの芯ずれが少なく、安定したチャッキングをすることができる。
さらに、本実施の形態によれば、トラバース機構がベース本体に対して近接する方向に移動する時には、トラバースベースがベース本体と当接するまでは、スピンドルシャーシの支柱に装着したバネのバネ付勢により、スピンドルシャーシとトラバースベースが一体となって近接する方向に移動し、トラバースベースがベース本体と当接すると、スピンドルシャーシのみがベース本体に対して近接する方向に移動することにより、ディスク挿入時のディスク下面とトラバース機構、特にスピンドルモータのハブとのクリアランスを十分に確保することができる。従って、シャーシ外装の薄型化を図ることができる。
本発明の第４の実施の形態は、第３の実施の形態によるディスク装置のチャッキング方法において、第２のステップの後に、トラバース機構を水平方向に移動させることで、ディスクを位置規制部材から離間させるものである。本実施の形態によれば、ディスクをチャッキング後に、ディスクの位置規制部材を動作させることなくディスクを位置規制部材から離間させることで、位置規制部材を退避させるためのリンク機構を無くすことができる。
本発明の第５の実施の形態によるディスク装置は、トラバース機構の一端側にスライダー機構を配置し、スライダー機構には、トラバース機構の一端側をベース本体に対して近接離間させるカム機構と、トラバース機構をディスクの挿入排出方向に移動させるスライダーカム機構とを有し、トラバース機構の他端側に固定カムを配置し、トラバース機構の他端側を固定カムによってベース本体に支持し、スライダーカム機構によってトラバース機構を移動させることで、固定カムによってトラバース機構の他端側をベース本体に対して近接離間させ、トラバース機構がベース本体に対して近接する時には、トラバースベースがベース本体と当接するまでは、スピンドルシャーシの支柱に装着したバネのバネ付勢により、スピンドルシャーシとトラバースベースが一体となって近接し、トラバースベースがベース本体と当接すると、スピンドルシャーシのみがベース本体に対して近接し、トラバース機構がベース本体に対して離間する時には、トラバースベースがベース本体と当接している間は、スピンドルシャーシのみがベース本体に対して離間し、さらに離間する際には、スピンドルシャーシとトラバースベースが一体となって離間するものである。
本実施の形態によれば、トラバース機構の一端側、他端側がベース本体に対して垂直方向に移動できるとした場合、トラバース機構の一端側、他端側の両側をベース本体から同時に水平に離間させてチャッキングを行う場合と比較して、ディスクセンターとスピンドルモータのハブセンターの芯ずれが少なく、安定したチャッキングをすることができる。
さらに、本実施の形態によれば、トラバース機構がベース本体に対して近接する方向に移動する時には、トラバースベースがベース本体と当接するまでは、スピンドルシャーシの支柱に装着したバネのバネ付勢により、スピンドルシャーシとトラバースベースが一体となって近接する方向に移動し、トラバースベースがベース本体と当接すると、スピンドルシャーシのみがベース本体に対して近接する方向に移動することにより、ディスク挿入時のディスク下面とトラバース機構、特にスピンドルモータのハブとのクリアランスを十分に確保することができる。従って、シャーシ外装の薄型化を図ることができる。
本発明の第６の実施の形態は、第５の実施の形態によるディスク装置において、スライダーカム機構によってトラバース機構を固定カムの方向に移動させることで、ディスクを位置規制部材から離間させるものである。本実施の形態によれば、ディスクをチャッキング後に、ディスクの位置規制部材を動作させることなくディスクを位置規制部材から離間させるため、位置規制部材を退避させるためのリンク機構を無くすことができる。
【実施例】
【０００８】
以下本発明の一実施例によるディスク装置について説明する。
図１は本実施例によるディスク装置のベース本体の要部平面図、図２は同ディスク装置の要部側断面図、図３は同ディスク装置のサブスライダーの側面図である。
本実施例によるディスク装置は、ベース本体と蓋体とからシャーシ外装が構成され、このシャーシ外装のフロント面にベゼルが装着される。また本実施例によるディスク装置は、ベゼルに設けたディスク挿入口からディスクを直接挿入するスロットイン方式のディスク装置である。
【０００９】
ベース本体１０のフロント側には、ディスクを直接挿入するディスク挿入口１１を形成している。ベース本体１０にはトラバース機構３０が配置され、トラバース機構３０は、図１６及び図１７に示すように、スピンドルシャーシ３０Ａとトラバースベース３０Ｂとから構成している。
図１６は本発明の一実施例によるディスク装置のスピンドルシャーシ３０Ａの平面図、図１７は本発明の一実施例によるディスク装置のトラバースベース３０Ｂの平面図である。
スピンドルシャーシ３０Ａには、スピンドルモータ３１Ａとトラバースベース３０Ｂを支持する３つの支柱３８を保持している。
スピンドルモータ３１Ａの回転軸には、ディスクを保持するハブ３１Ｂを備えている。  スピンドルモータ３１Ａはスピンドルシャーシ３０Ａの一端側に設けられている。
トラバースベース３０Ｂには、ピックアップ３２を保持している。ピックアップ３２はトラバースベース３０Ｂの一端側から他端側までを移動可能に設けられている。また、トラバースベース３０Ｂには、ピックアップ３２を移動させる駆動手段３３も保持している。
駆動手段３３には、駆動モータと、ピックアップ３２を摺動させる一対のレールと、駆動モータの駆動をピックアップ３２に伝達する歯車機構とを有し、一対のレールはトラバースベース３０Ｂの一端側と他端側とを連接するように、ピックアップ３２の両側部に配置されている。
スピンドルシャーシ３０Ａに対してトラバースベース３０Ｂは、スピンドルシャーシ３０Ａの支柱３８と嵌合し、スピンドルモータ３１Ａのセンターとピックアップ３２が移動した時のピックアップレンズのセンターラインとが合致するように、スピンドルシャーシ３０Ａの支柱３８に装着したバネ３９により近接離間可能にバネ付勢されつつ、配置固定されている。
スピンドルシャーシ３０Ａには、スピンドルモータ３１Ａがベース本体１０の中央部に位置し、またピックアップ３２の往復移動範囲がスピンドルモータ３１Ａよりもディスク挿入口１１側に位置し、またピックアップ３２の往復移動方向がディスクの挿入方向と異なるように配設されている。ここで、ピックアップ３２の往復移動方向とディスクの挿入方向とは、４０〜４５度の角度としている。
【００１０】
トラバース機構３０は、一対の固定カム３４Ａ、３４Ｂによってベース本体１０に支持されている。一対の固定カム３４Ａ、３４Ｂは、スピンドルモータ３１Ａよりもディスク挿入口１１側に配設し、トラバース機構３０の他端側位置に配設することが好ましい。本実施例では、固定カム３４Ａはディスク挿入口１１の内側近傍の中央部に、固定カム３４Ｂはディスク挿入口１１の内側近傍の一端側に設けている。固定カム３４Ａ、３４Ｂは、ディスクの挿入方向に延びる所定長さの溝からなり、この溝のディスク挿入口１１側の一端側端部は、他端側端部よりもベース本体１０から第１のＹ軸距離だけ離間させている。スピンドルシャーシ３０Ａに設けたカムピン３５Ａ、３５Ｂは、この固定カム３４Ａ、３４Ｂの溝内を摺動することで、トラバース機構３０をディスクの挿入排出方向（Ｘ軸方向）に変位させるとともに、ベース本体１０に対して近接離間する方向（Ｚ軸方向）に変位させることができる。
【００１１】
以下に、このトラバース機構３０を動作させるメインスライダー４０とサブスライダー５０について説明する。
メインスライダー４０とサブスライダー５０とは、スピンドルモータ３１Ａの側方に位置するように配設されている。メインスライダー４０は、その一端がベース本体１０のフロント面側、その他端がベース本体１０のリア面側となる方向に配設されている。また、サブスライダー５０は、メインスライダー４０と直交する方向に配設されている。
トラバース機構３０を変位させるカム機構は、スライダーカム機構５１と昇降カム機構５２によって構成され、サブスライダー５０に設けられている。スライダーカム機構５１は、サブスライダー５０の移動方向に延びる所定長さの溝からなり、この溝はその一端側（メインスライダー４０側）端部から他端側端部にかけて、ディスク挿入口１１の方向（Ｘ軸方向）に段階的に近接させている。スピンドルシャーシ３０Ａに設けたスライドピン５３は、このスライダーカム機構５１の溝内を摺動することで、トラバース機構３０をディスクの挿入排出方向（Ｘ軸方向）に変位させることができる。また、昇降カム機構５２は、サブスライダー５０の移動方向に延びる所定長さの溝からなり、この溝はその一端側（メインスライダー４０側）端部から他端側端部にかけて、ベース本体１０との距離（Ｚ軸距離）を段階的に変化させている。スピンドルシャーシ３０Ａに設けた昇降ピン５４は、この昇降カム機構５２の溝内を摺動することで、トラバース機構３０をベース本体１０に対して近接離間する方向（Ｚ軸方向）に変位することができる。
【００１２】
メインスライダー４０の一端側にはローディングモータ（図示せず）が配設されている。そして、このローディングモータの駆動軸とメインスライダー４０の一端側とは歯車機構（図示せず）を介して連結されている。
このローディングモータの駆動によってメインスライダー４０を長手方向（Ｘ軸方向）に摺動させることができる。またメインスライダー４０は、カムレバー７０によってサブスライダー５０と連結している。
カムレバー７０は回動支点７１を有し、ピン７２でメインスライダー４０に設けたカム溝４１と係合し、ピン７４でサブスライダー５０に設けたカム溝と係合している。
このカムレバー７０は、メインスライダー４０の移動に連動して、サブスライダー５０を移動させ、サブスライダー５０の移動によってスライダーカム機構５１と昇降カム機構５２を動作させてトラバース機構３０を変位させる機能を有する。
【００１３】
なお、トラバース機構３０は、さらに一対の固定カム３６Ａ、３６Ｂによってもベース本体１０に支持されている。一対の固定カム３６Ａ、３６Ｂは、固定カム３４Ａ、３４Ｂとサブスライダー５０との間に配設し、固定カム３４Ａ、３４Ｂとサブスライダー５０との中間位置に配設することが好ましい。固定カム３６Ａ、３６Ｂは、固定カム３４Ａ、３４Ｂと同一の構成である所定長さの溝からなる。スピンドルシャーシ３０Ａに設けたカムピン３７Ａ、３７Ｂは、この固定カム３６Ａ、３６Ｂの溝内を摺動することで、トラバース機構３０をディスクの挿入方向に変位させるとともに、ベース本体１０と近接離間する方向に変位させることができる。
以上説明した、スピンドルシャーシ３０Ａとトラバースベース３０Ｂは、トラバース機構３０に設けられ、トラバース機構３０、固定カム３４Ａ、３４Ｂ、３６Ａ、３６Ｂ、メインスライダー４０、サブスライダー５０、及びローディングモータは、ベース本体１０に設けられ、これらの部材と蓋体１３０との間に、ディスク挿入空間を形成する。
【００１４】
次に、ディスクを支持するガイド部材と、ディスクを動作させるレバー部材について説明する。
ベース本体１０のディスク挿入口１１近傍の一端側には、所定長さの第１のディスクガイド（図示せず）が設けられている。この第１のディスクガイドは、ディスク挿入方向から見た断面が、「コ」の字状の溝を有し、この溝によってディスクは支持されている。
一方、ベース本体１０のディスク挿入口１１近傍の他端側には、引き込みレバー８０が設けられ、この引き込みレバー８０の可動側端部に第２のディスクガイド８１を備えている。第２のディスクガイド８１は、円筒状のローラで構成され、引き込みレバー８０の可動側端部に回動自在に設けられている。
引き込みレバー８０は、可動側端部が固定側端部よりもディスク挿入口１１側で動作するように配置され、固定側端部に回動支点８２を有している。また、引き込みレバー８０の可動側端部と固定側端部との間には所定長さの第３のディスクガイド８４が設けられている。また、引き込みレバー８０はピン８５を備え、このピン８５がメインスライダー４０のカム溝４２を摺動することで引き込みレバー８０は動作する。すなわち、引き込みレバー８０は、メインスライダー４０の移動にともなって、第２のディスクガイド８１がスピンドルモータ３１Ａに対して近接離間するように動作する。
【００１５】
また、ベース本体１０には、排出レバー１００が設けられている。この排出レバー１００の一端側の可動側端部にはガイド１０１が設けられている。このディスクガイド１０１は、円筒状のローラで構成されている。また、排出レバー１００の他端側には、回動支点１０２が設けられている。なお、排出レバー１００は、ピン１０３とカム溝４３によってメインスライダー４０の動きと連動して動作する。
また、ベース本体１０の排出レバー１００と対向する側には排出レバー１１０が設けられている。この排出レバー１１０の一端側の可動側端部にはディスクガイド１１１が設けられている。このディスクガイド１１０も、円筒状のローラで構成されていることが望ましい。また、排出レバー１１０の他端側には、回動支点１１２が設けられている。なお、排出レバー１１０は、排出レバー１００と同様にディスクのローディング時やチャッキング時のディスクの位置規制および、ディスク挿入、排出時のディスク搬送ガイドを行う。
一方、ベース本体１０のリア側には固定ピン１２０が設けられている。この固定ピン１２０によって、ディスクのローディング時やチャッキング時のディスクの位置規制を行っている。
【００１６】
図２に示すように、シャーシ外装は、ベース本体１０と蓋体１３０によって構成され、蓋体１３０の中央部には、開口部１３２が設けられている。この開口部１３２は、ディスクの中心孔よりも大きな半径の円形開口である。従って、ディスクの中心孔に嵌合するスピンドルモータ３１Ａのハブ３１Ｂよりも大きな開口である。
開口部１３２の外周部には、ベース本体１０側に突出させた絞り部１３３が形成されている。
蓋体１３０の内周面全体には、ウレタンビーズ配合のフッ素系コーティングを塗布している。なお、コーティングは、絞り部１３３のディスクとの接触面だけに施してもよい。コーティング材として、ビーズ径が２０ミクロンのウレタン樹脂に、ウレタン樹脂に対する配合比が５％のフッ素と、ウレタン樹脂に対する配合比が１．０〜１．５％のシリコンとを配合したコーティング材を用いることが好ましい。また、コーティング材の摩擦係数は、０．２〜０．６が好ましく、０．５５以下がより好ましい。
【００１７】
以下に、図１から図１５を用いてトラバース機構３０の動作メカニズムについて説明する。
図１から図３のカム機構とピンの位置はディスクのスタンバイ状態を示している。
図４はディスク装置のディスクのチャッキング動作をスタートした状態を示すベース本体の要部平面図、図５は同状態における要部側断面図、図６は同状態におけるサブスライダーの側面図である。
そして、図７は図４の状態からさらに第１の所定時間が経過した状態を示すベース本体の要部平面図、図８は同状態における要部側断面図、図９は同状態におけるサブスライダーの側面図である。
また、図１０は図７の状態からさらに第２の所定時間が経過し、トラバース機構３０の最上昇状態を示すベース本体の要部平面図、図１１は同状態における要部側断面図、図１２は同状態におけるサブスライダーの側面図である。
そして、図１３は図１０の状態からさらに第３の所定時間が経過し、ディスクの記録再生状態を示すベース本体の要部平面図、図１４は同状態における要部側断面図、図１５は同状態におけるサブスライダーの側面図である。
【００１８】
まず、ディスクのスタンバイ状態では、図１から図３に示すように、トラバース機構３０は、最もリア側であって、最もベース本体１０側に近接した位置に配置されている。
すなわちこの状態においては、スライドピン５３は、スライドカム機構５１の一端側（メインスライダー４０側）端部に位置している。従って、トラバース機構３０は最もリア側に近接した位置に配置されている。また、カムピン３５Ａ、３５Ｂは、固定カム３４Ａ、３４Ｂの溝の他端側端部に位置している。従って、トラバース機構３０の他端側（ピックアップ３２側）はベース本体１０に最も近接した位置に配置されている。また、昇降ピン５４は、昇降カム機構５２の一端側（メインスライダー４０側）端部に位置している。従って、トラバース機構３０の一端側（スピンドルモータ３１Ａ側）はベース本体１０に最も近接した位置に配置されている。
【００１９】
図１に示す状態からメインスライダー４０がディスク挿入口１１の方向に移動し、このメインスライダー４０の移動に伴ってサブスライダー５０がメインスライダー４０の方向に移動する。
そして、チャッキング動作をスタートした状態では、図４から図６に示すように、トラバース機構３０は、ディスク挿入口１１の方向に第１のＸ軸距離だけ移動するとともに、トラバース機構３０の他端側は、ベース本体１０から第１のＹ軸距離だけ離間した位置に配置される。
すなわちこの状態においては、スライドピン５３は、スライドカム機構５１を第１のＹ軸距離だけ移動し、トラバース機構３０はディスク挿入口１１の方向に第１のＸ軸距離だけ移動する。従って、カムピン３５Ａ、３５Ｂは、固定カム３４Ａ、３４Ｂの溝の一端側端部の方向に第１のＸ軸距離を移動し、トラバース機構３０の他端側（ピックアップ３２側）は、ベース本体１０から第１のＺ軸距離だけ離間した位置に配置される。また、昇降ピン５４は、昇降カム機構５２の一端側（メインスライダー４０側）端部から第１のＹ軸距離だけ移動し、トラバース機構３０の一端側（スピンドルモータ３１Ａ側）をベース本体１０から第２のＺ軸距離だけ移動させる。この状態でハブ３１Ｂの搬送されてきたディスクへのチャッキングがスタートする。
【００２０】
図４に示す状態から、さらにメインスライダー４０がディスク挿入口１１の方向に移動することで、サブスライダー５０はさらにメインスライダー４０の方向に移動する。
そして、図４に示す状態からさらにチャッキング動作を第１の所定時間行った状態では、図７から図９に示すように、トラバース機構３０の他端側は、ベース本体１０から第３のＺ軸距離（第３のＺ軸距離＞第２のＺ軸距離）だけ離間した位置に配置される。
すなわちこの状態においては、スライドピン５３は、スライドカム機構５１を第２のＹ軸距離だけ移動するが、この移動範囲ではスライドカム機構５１の溝は、サブスライダー５０の移動方向（Ｙ軸方向）と平行に設けているので、トラバース機構３０はディスク挿入口１１の方向には移動しない。従って、カムピン３５Ａ、３５Ｂも、固定カム３４Ａ、３４Ｂの溝内を移動しない。また、昇降ピン５４は、昇降カム機構５２の溝を第２のＹ軸距離だけ移動し、トラバース機構３０の一端側（スピンドルモータ３１Ａ側）をベース本体１０から第３のＺ軸距離だけ移動させる。この状態で厚み１．２ｍｍのディスクが蓋体１３０の絞り部１３３と当接し、このディスクのチャッキングが完了する。
【００２１】
図７に示す状態から、さらにメインスライダー４０がディスク挿入口１１の方向に移動することで、サブスライダー５０はさらにメインスライダー４０の方向に移動する。
そして、図７に示す状態からさらにチャッキング動作を第３の所定時間行った状態では、図１０から図１２に示すように、トラバース機構３０の他端側は、ベース本体１０から最も離間した第４のＺ軸距離に配置される。
すなわちこの状態においては、スライドピン５３は、スライドカム機構５１を第３のＹ軸距離だけ移動するが、この移動範囲ではスライドカム機構５１の溝は、サブスライダー５０の移動方向（Ｙ軸方向）と平行に設けているので、トラバース機構３０はディスク挿入口１１の方向には移動しない。従って、カムピン３５Ａ、３５Ｂも、固定カム３４Ａ、３４Ｂの溝内を移動しない。また、昇降ピン５４は、昇降カム機構５２の溝を第３のＹ軸距離だけ移動し、トラバース機構３０の一端側（スピンドルモータ３１Ａ側）をベース本体１０から第４のＺ軸距離（最上昇高さ）に移動させる。この状態で厚み１．２ｍｍ以上のディスクのチャッキングが完了する。
【００２２】
図１０に示す状態から、さらにメインスライダー４０がディスク挿入口１１の方向に移動することで、サブスライダー５０はさらにメインスライダー４０の方向に移動する。
そして、図１３から図１５に示すように、トラバース機構３０はディスク挿入口１１の方向に移動するとともに、トラバース機構３０の他端側は、ベース本体１０に近接する方向に移動し、第１のＺ軸距離の位置に配置される。
すなわちこの状態においては、スライドピン５３は、スライドカム機構５１を第４のＹ軸距離だけ移動し、トラバース機構３０はディスク挿入口１１の方向に第２のＸ軸距離だけ移動する。従って、カムピン３５Ａ、３５Ｂは、固定カム３４Ａ、３４Ｂの溝の一端側端部に向けて第２のＸ軸距離だけ移動するが、トラバース機構３０の他端側（ピックアップ３２側）高さは変わらない。また、昇降ピン５４は、昇降カム機構５２の溝を第４のＹ軸距離だけ移動し、トラバース機構３０の一端側（スピンドルモータ３１Ａ側）をベース本体１０の方向に移動させ第１のＺ軸距離の位置に配置させる。
【００２３】
以上の動作によって、ディスクを蓋体１３０から離間させるとともに、固定ピン１２０からも離間させることで、ディスクは再生記録状態となる。
また、装着されたディスクを排出する時には、ローディングモータを駆動し、メインスライダー４０をその他端側の方向に移動することにより行われ、基本的には上記の動作が逆に行われる。
【産業上の利用可能性】
【００２４】
本実施例のディスク装置は、表示手段と入力手段と演算処理手段などを一体化した、いわゆるノート型パソコン本体に内蔵、または一体的にセットされるディスク装置として特に有用である。
【図面の簡単な説明】
【００２５】
【図１】本発明の一実施例によるディスク装置のベース本体の要部平面図
【図２】同ディスク装置の要部側断面図
【図３】同ディスク装置のサブスライダーの側面図
【図４】本実施例によるディスク装置のディスクのチャッキング動作スタートした状態を示すベース本体の要部平面図
【図５】同状態における要部側断面図
【図６】同状態におけるサブスライダーの側面図
【図７】図４の状態からさらに第１の所定時間が経過した状態を示すベース本体の要部平面図
【図８】同状態における要部側断面図
【図９】同状態におけるサブスライダーの側面図
【図１０】図７の状態からさらに第２の所定時間が経過し、トラバース機構３０の最上昇状態を示すベース本体の要部平面図
【図１１】同状態における要部側断面図
【図１２】同状態におけるサブスライダーの側面図
【図１３】図１０の状態からさらに第３の所定時間が経過し、ディスクの記録再生状態を示すベース本体の要部平面図
【図１４】同状態における要部側断面図
【図１５】同状態におけるサブスライダーの側面図
【図１６】本発明の一実施例によるディスク装置のスピンドルシャーシの平面図
【図１７】本発明の一実施例によるディスク装置のトラバースベースの平面図
【符号の説明】
【００２６】
１０    ベース本体
１１    ディスク挿入口
３０    トラバース機構
３０Ａ    スピンドルシャーシ
３０Ｂ    トラバースベース
３１Ａ    スピンドルモータ
３２    ピックアップ
４０    メインスライダー
５０    サブスライダー
５１    スライダーカム機構
５２    昇降カム機構
１３０    蓋体
【図１】
2006065925.tif 000003
【図２】
2006065925.tif 000004
【図３】
2006065925.tif 000005
【図４】
2006065925.tif 000006
【図５】
2006065925.tif 000007
【図６】
2006065925.tif 000008
【図７】
2006065925.tif 000009
【図８】
2006065925.tif 000010
【図９】
2006065925.tif 000011
【図１０】
2006065925.tif 000012
【図１１】
2006065925.tif 000013
【図１２】
2006065925.tif 000014
【図１３】
2006065925.tif 000015
【図１４】
2006065925.tif 000016
【図１５】
2006065925.tif 000017
【図１６】
2006065925.tif 000018
【図１７】
2006065925.tif 000019